(57)【特許請求の範囲】
【請求項１】
竿本体と、前記竿本体の周面に配置されリールの脚部を取り付けるためのリールシートとを備え、
前記リールシートは、前記竿本体の周面に配置される緩衝材と、前記緩衝材を介して前記竿本体に装着されるパイプ状のリールシート本体と、前記リールシート本体に装着される移動フード部とを有しており、
前記緩衝材が、その軸長方向長さがこのリールシート本体と同程度に設定されたパイプ状のゴム部材であり、
この緩衝材が、この竿本体の周面に固定されており、
このリールシート本体が、この緩衝材の周面に固定されており、
この緩衝材が、リール操作に伴って発生する振動を緩和して竿本体に伝達する竿体。
【発明の詳細な説明】
【技術分野】
【０００１】
本発明は、本発明は魚釣りに用いる釣竿を構成する竿体、特に、周面にリールを脱着自在に装着するためのリールシートを有する竿体に関する。
【背景技術】
【０００２】
釣竿には、リールを脱着自在に竿体に装着するためのリールシートが取り付けられている竿体を有するものがある。この種の釣竿では、一般に最も竿元側に配置される元竿と呼ばれる竿体の周面にリールシートが設けられる。そして、ここにリールの脚部を取り付けて、リールからの釣糸を釣糸ガイドで穂先側に案内し、釣りをおこなう。
【０００３】
このリールシートには種々のタイプがある。そのなかで、近時において多く見られるリールシートは、竿体の管状体である竿本体とは別個にパイプ状の成型品からなるリールシートを準備し、これを竿体の所定の位置においてその周面に固定するタイプのものである（例えば、特許文献１参照）。このようなリールシートにおいては、竿本体の周面にパイプ状の成型品が配置され、これが接着剤等で固定されているのが一般的である。
【０００４】
このような釣竿においては、リールをリールシートに装着し、リール操作をして、具体的にはリールで釣糸を巻き上げて魚を釣り上げることになる。このため、リールシートには釣糸乃至リールから大きな力が竿体に係るので、リールシートは竿体の周面に十分に固定されている。しかし、一方で、このようなリール操作を行う際にリールは大きく振動し、その振動がリールシートを介して竿体に伝達されてしまう。このようなリールからの振動を受けた竿体はその振動を増幅し、特に、穂先側の竿体に於いてその振動が顕著に顕れる。このような振動は、トップガイドなどを介して釣糸から仕掛けに係った魚を刺激し、魚の釣り上げ操作を阻害することがある。
【０００５】
即ち、仕掛けに係った魚を釣り上げる際には、釣竿を引き上げて魚をおびき寄せ、釣竿を戻すと共にリールを巻き上げて魚を引き寄せる。このリールの巻き上げの際の魚を刺激すると、魚が暴れて釣糸が切れたり、再び魚が遠方に逃げてしまったりする。
【特許文献１】特開平08-196170号公報
【発明の開示】
【発明が解決しようとする課題】
【０００６】
本発明は、魚を取り込み易い釣竿用の竿体を提供するものである。
【課題を解決するための手段】
【０００７】
本発明の竿体は、竿本体と、竿本体の周面に配置されリールの脚部を取り付けるためのリールシートとを備える。このリールシートは、竿本体の周面に配置される緩衝材と、緩衝材を介して竿本体に装着されるパイプ状のリールシート本体と、緩衝材を介して竿本体に装着される移動フード部とを有している。前記緩衝材は、ゴム部材であり、リール操作に伴って発生する振動を緩和して竿本体に伝達する。
【０００８】
この竿体において、リールシートにリールの脚部を取り付けてリール操作が行われると、リール操作に伴って発生する振動は、緩衝材により緩和されて竿本体に伝達される。このように竿本体に伝達される振動が緩和されるため、仕掛けに係った魚を釣り上げる際に魚を過度に刺激することがなく、魚を釣り上げやすい。
【０００９】
例えば、緩衝材としてはパイプ状のゴム部材を利用する。リールシート本体の内側をパイプ状のゴム部材で覆い、リールシート本体からの振動を抑える。若しくは、緩衝材はリング状のゴム部材とし、軸長方向に間隔を隔てて複数のリング状のゴム部材が竿本体の周面に配置される。リング状のゴム部材を利用することで軽量化が可能となる。
【発明の効果】
【００１０】
本発明に係る竿体を用いると、リールを巻き上げる際に竿体に伝達される振動により、魚の取り込みに失敗することが少なくなる。
【発明を実施するための最良の形態】
【００１１】
［第１実施形態］
以下、本発明の実施形態について図面を参照しつつ説明する。
【００１２】
図１に、本発明の１つの実施形態を採用した釣竿の元竿１を示す。釣竿は、複数の竿体を振出形式若しくは並継ぎ形式に連結したものである。各竿体は強化繊維に合成樹脂を含浸させた繊維強化樹脂素材を焼成してなる先細りテーパの施された管状体である。このような竿体の中でもっとも竿元側に位置する太径の竿体が元竿１であり、この元竿１を構成する管状体が竿本体２である。元竿１の竿本体２には、その竿元側端部に尻栓が脱着自在に取り付けられ、釣人が把持するためのグリップが必要に応じてその周面に取り付けられる。さらに、リールシート３が竿本体２の竿元側の周面に装着され、穂先側の周面にはリールシート３に取り付けたリールＲからの釣糸を案内するための釣糸ガイドも装着される。
【００１３】
リールシート３は、図２に詳しく示すように、竿本体２の周面に配置されるゴムパイプ４と、ゴムパイプ４を介して竿本体２に装着されるパイプ状のリールシート本体５と、移動フード部６とを有する。
【００１４】
ゴムパイプ４は、例えば、NBR等から形成されその内径を竿本体２の所定の位置の外径に合わせて調整したものである。厚さは、0.3〜0.7ｍｍ程度のものである。その軸長方向の長さはリールシート本体５と同程度若しくはやや長めに設定する。接着剤等を利用して竿本体２の所定の軸長方向位置の周面に固定されている。さらに、このようにしてゴムパイプ４に取り付けられたリールシート本体５の周面と元竿１の竿本体２との境界を埋めて外観を整えるために、竿本体２とリールシート本体５との周面には塗装が施されて塗装層９が積層される。
【００１５】
リールシート本体５は、硬質合成樹脂，金属等から構成されるパイプ状の部材である。上述のゴムパイプ４の周面に、接着剤等を利用して固定される。図３にも示すように、このリールシート本体５には軸長方向に延びる平面があり、ここがリールの脚部を載置するための載置面１０である。もっとも、このリールシート本体５においては、載置面１０は穂先側部分と竿元側部分との２つに分断されている。載置面１０の竿元側の部分にあっては、その幅方向中央付近が凹入しており凹溝が形成されている。この凹溝は載置面１０の軸長方向に延びており、この凹溝内に金属金具１１が収納されている。金属金具１１には幅方向に延びる細かい凹溝が軸長方向に配列されることで、凹凸が形成されている。
【００１６】
他方、載置面１０の穂先側部分には固定フード１２が形成されている。固定フード１２は竿元側方向に開口したフード状の部分でありこの中にリールＲの脚部の一端が挿入される。さらに、リールシート本体５の載置面１０の竿元側の幅方向両縁には軸長方向に延びる１対のレール溝１３が形成される。即ち、載置面１０の幅方向両縁はそれぞれ庇状に幅方向に広がっており、載置面１０の幅方向両縁の下側には幅方向に凹入するレール溝１３が構成される。このレール溝１３が載置面１０の幅方向両縁に沿って軸長方向に延びている。
【００１７】
移動フード部６は、フード部と固定部とが組み合わされて構成されている。フード部は穂先側の固定フード１２に向かって開口しており内部にリールＲの脚部の他端を収納可能である。フード部はその幅方向両端側が折り曲げられて上述のレール溝１３に噛み合っている。そして、このレール溝１３に沿って移動フード部６が軸長方向にスライド移動する。固定部は幅方向に回動軸が位置する回動部分と軸受け部分とからなり、回動部分の回動軸付近に爪が直接形成され若しくは別途連結されている。この軸受け部分はフード部と同様に、その幅方向両端側が折り曲げられて上述のレール溝１３に噛み合っている。この固定部の回動部分を平伏させると爪が上述の金属金具１１の凹凸に引っ掛かり、移動フード部６は軸長方向において位置決めされる。また、固定部の回動部分を起立させると爪の金属金具１１の凹凸への引っ掛かりが解除され、移動フード部６は軸長方向に移動できる。さらに、この移動フード部６の後端（竿元側）には、指で移動フード部６を穂先側に押し出し易いように合成樹脂製の押動部品が装着されている。
【００１８】
この釣竿では、上述の元竿１の穂先側にさらに他の竿体を連結し、一本の長い釣竿となっている。他の竿体の周面にもリールＲからの釣糸を案内するための釣糸ガイドが複数個、軸長方向に間隔を隔てて装着されている。そして、上述のようなリールシート３の固定フード１２と移動フード部６とで、リールＲの脚部を挟み込んで、リールシート３にリールＲが固定される。そして、リールＲからの釣糸を順次上述の釣糸ガイドに挿通させて、釣糸の先端に仕掛けを連結し、魚釣りが行われることになる。
【００１９】
魚が仕掛けに係り、この魚を釣り上げる際には、リールシート３に取り付けたリールＲを巻き上げる等の操作が行われる。このようなリール操作に伴って発生する振動は、ゴムパイプ４により緩和されて元竿１の竿本体２に伝達される。竿本体２に伝達された振動は、その穂先側に連結されている他の竿体に伝達され、特に、最も穂先側に配置されている竿体（穂先竿）において増幅され、その周面の釣糸ガイドから釣糸乃至仕掛けを振動させ、魚を刺激しかねない。この釣竿では、上述のようなゴムパイプ４により振動が緩和されることで、魚を過度に刺激することがなく、魚を釣り上げやすい。
【００２０】
［第２実施形態］
元竿の変形例を図４に示す。この元竿２０も釣竿の中で最も竿元側に位置する太径の竿体であり、この元竿２０を構成する管状体が竿本体２２である。この竿本体２２の周面にリールシートが装着される。上記第１実施形態と同様に、このリールシートは、詳しくは、竿本体２２の周面に配置される複数のゴムリング２４と、ゴムリング２４を介して竿本体２２に装着されるパイプ状のリールシート本体２５とを有する。
【００２１】
ゴムリング２４は、例えばNBR等から形成されその内径を竿本体２２の所定の位置の外径に合わせて調整したものである。上記実施形態におけるゴムパイプと同様に、厚さは0.3〜0.7ｍｍ程度のものであり、その軸長方向の長さは5〜20ｍｍ程度のものである。軸長方向に間隔を隔てて、複数のゴムリング２４が竿本体２２の周面に接着剤等で固定される。このゴムリング２４の周面に、上記実施形態と同様のリールシート本体２５を装着する。このようなゴムリング２４を利用すれば、元竿全体の軽量化を図れる。
【００２２】
［他の実施形態］
さらに、別のリールシートの変形例を以下に示す。
（ａ）図５においては、緩衝材として、液体入のゴムチューブ３４を利用した例を示している。このゴムチューブ３４は、円筒型のNBR等からなるチューブである。元竿の竿本体３２の周面の所定の軸長方向位置に固定されている。ゴムチューブ３４は中空でありその中に、例えばオイル等の液体が注入されている。ゴムチューブ３４の周面には、上述の各実施形態におけるようなパイプ状のリールシート本体３５が装着されている。リールシート本体３５の軸長方向の両端には、リールシート本体３５の軸長方向への不当なズレを防止するためのリング部材３６が、リールシート本体３５の軸長方向両端縁を外周面から覆いつつ、竿本体３２の周面に固定されている。
（ｂ）図６には、緩衝材として、板バネ４４を利用した例を示している。この板バネ４４は、竿本体４２の軸長方向に延びる板状の部材であり、その一端が竿本体４２の周面に巻糸等で固定されている。板バネ４４の長手方向の中央付近は竿本体４２の周面より離れるように折り曲げられており、その他端側は自由端となっている。このような板バネ４４が、竿本体４２の周方向に並んで複数個配列され、１つのユニットが形成される。また、竿本体４２の軸長方向に離れて、複数のユニットが配置される。
【００２３】
このような複数の板バネ４４の周面にリールシート本体４５が配置される。リールシート本体４５の軸長方向の両端には、リールシート本体４５の軸長方向への不当なズレを防止するためのリング部材４６が、リールシート本体４５の軸長方向両端縁を外周面から覆いつつ、竿本体４２の周面に固定されている。リールシート本体４５は板バネ４４に対しては直接固定されていない。魚が仕掛けに係り、この魚を釣り上げる際のリール操作に伴って振動が発生すると、板バネ４４はその自由端側に伸縮し、リールシート本体４５に発生する振動を緩和して、竿本体４２にその振動を伝達する。なお、図７に示すように、板バネに代えてコイルバネ５４を利用しても良い。
【図面の簡単な説明】
【００２４】
【図１】本発明の第１実施形態を採用した釣竿の元竿１を示した図。
【図２】図１のリールシート２付近の断面図。
【図３】図２のリールシート２の上面図。
【図４】本発明の第２実施形態を示した図。
【図５】本発明の他の実施形態を示した図。
【図６】本発明のさらに別の実施形態を示した図。
【図７】図６の変形例を示した図。
【符号の説明】
【００２５】
１  元竿
２  竿本体
３  リールシート
４  ゴムパイプ
５  リールシート本体
６  移動フード部
２４  ゴムリング
３４  ゴムチューブ
４４  板バネ
５４  コイルバネ
【図１】
0004619670.tif 000002
【図２】
0004619670.tif 000003
【図３】
0004619670.tif 000004
【図４】
0004619670.tif 000005
【図５】
0004619670.tif 000006
【図６】
0004619670.tif 000007
【図７】
0004619670.tif 000008